(57)【要約】【課題】端子カバーが開いたままの状態で運転されることを抑制できるダクト送風装置を得ること。【解決手段】換気扇１００は、本体２と、保護枠３０を備え本体２内に設置されるファンケーシング６と、モータ３を有する送風機１と、保護枠３０の内部に設置され、モータ３と外部電源とを接続する電線接続装置と、ファンケーシング６に回動可能に取り付けられ、筒状部の一端部を開閉する端子カバー１１と、ファンケーシング６に取り付けられる化粧グリル１２とを有し、化粧グリル１２は、閉じた状態からの端子カバー１１の回転角度が９０度未満のときにファンケーシング６に取り付けられると端子カバー１１を閉じる押し込み突起と、閉じた状態からの端子カバー１１の回転角度が９０度以上のときにファンケーシング６に取り付けられると端子カバー１１と接触して、化粧グリル１２とフランジ２ａとの間に隙間を生じさせる接触突起とを備える。【選択図】図１
2020180730.tif 000002
【特許請求の範囲】
【請求項１】
吸気口及び排気口が形成され、前記吸気口が形成された面にフランジが設けられた本体と、
吸込口と吐出口とを繋ぐ風路部と、前記風路部の外に設けられた保護枠とを備え、前記吸気口と前記吸込口とが連通し、かつ前記排気口と前記吐出口とが連通するように前記本体内に設置されることにより、前記保護枠が、前記本体の内部かつ前記風路部の外部に、前記本体の前記吸気口が形成された面側を向く一端部が開口した筒状部を形成するファンケーシングと、
モータと、前記モータのシャフトに取り付けられたファンとを備え、前記吸込口から前記ファンケーシング内に流入して前記吐出口から流出する気流を形成する送風機と、
前記保護枠の内部に設置され、前記モータと外部電源とを接続する電線接続装置と、
前記ファンケーシングに、前記本体の前記吸気口が形成された面と平行な軸を中心に回動可能に取り付けられ、前記筒状部の一端部を開閉する端子カバーと、
前記ファンケーシングに取り付けられて前記フランジと当接し、前記吸気口を覆う化粧グリルとを有し、
前記化粧グリルは、前記端子カバーを閉じた状態からの前記端子カバーの回転角度が９０度未満のときに前記ファンケーシングに取り付けられると前記端子カバーと接触して前記端子カバーを閉じる第１の凸部と、前記端子カバーを閉じた状態からの前記端子カバーの回転角度が９０度以上のときに前記ファンケーシングに取り付けられると前記端子カバーと接触して、前記化粧グリルと前記フランジとの間に隙間を生じさせる第２の凸部とを備えることを特徴とするダクト送風装置。
【請求項２】
前記保護枠は、前記筒状部の一端部から前記筒状部の軸方向に延びて前記筒状部の一端部の周囲を囲む保護壁を有し、
前記端子カバーは、閉じた状態では、前記筒状部の一端部と前記保護壁とによって形成される凹部に嵌まることを特徴とする請求項１に記載のダクト送風装置。
【請求項３】
前記凹部は、前記端子カバーを閉じた状態で係止する係止部を有することを特徴とする請求項２に記載のダクト送風装置。
【発明の詳細な説明】
【技術分野】
【０００１】
本発明は、ダクトを通じて送風するダクト送風装置に関する。
【背景技術】
【０００２】
天井裏又は壁内に設置されたダクトを利用して送風するダクト送風装置は、箱状の本体の内部にスクロールケーシングが設置される。ダクト送風装置は、本体の内部かつスクロールケーシングの外側の空間に、外部電源との電気的な接続のための端子台を備えた電線接続装置が配置される。
【０００３】
特許文献１には、電線接続装置を囲む筒状の保護枠と、保護枠の端部を水密状態で塞ぐ端子カバーとを備えたダクト送風装置が開示されている。特許文献１に開示されるダクト送風装置は、室内の空気が吸い込まれる吸い込み空間と、保護枠の内部の空間とを水密状態で隔離することによって、電線接続装置の内部に室内の空気が侵入して結露が発生することを防止している。
【先行技術文献】
【特許文献】
【０００４】
【特許文献１】特許第４５６６６６５号公報
【発明の概要】
【発明が解決しようとする課題】
【０００５】
しかしながら、特許文献１に開示されるダクト送風装置は、ユーザが端子カバーを閉め忘れることを防ぐ対策が取られていない。したがって、特許文献１に開示されるダクト送風装置は、端子カバーが開いたままの状態で運転されると、保護枠の内部に室内の空気が侵入し、電線接続装置の内部に結露が発生してしまうという問題があった。
【０００６】
本発明は、上記に鑑みてなされたものであって、端子カバーが開いたままの状態で運転されることを抑制できるダクト送風装置を得ることを目的とする。
【課題を解決するための手段】
【０００７】
上述した課題を解決し、目的を達成するために、本発明は、吸気口及び排気口が形成され、吸気口が形成された面にフランジが設けられた本体と、吸込口と吐出口とを繋ぐ風路部と、風路部の外に設けられた保護枠とを備え、吸気口と吸込口とが連通し、かつ排気口と吐出口とが連通するように本体内に設置されることにより、保護枠が、本体の内部かつ風路部の外部に、本体の吸気口が形成された面側を向く一端部が開口した筒状部を形成するファンケーシングと、モータと、モータのシャフトに取り付けられたファンとを備え、吸込口からファンケーシング内に流入して吐出口から流出する気流を形成する送風機と、保護枠の内部に設置され、モータと外部電源とを接続する電線接続装置と、ファンケーシングに、本体の吸気口が形成された面と平行な軸を中心に回動可能に取り付けられ、筒状部の一端部を開閉する端子カバーと、ファンケーシングに取り付けられてフランジと当接し、吸気口を覆う化粧グリルとを有する。化粧グリルは、端子カバーを閉じた状態からの端子カバーの回転角度が９０度未満のときにファンケーシングに取り付けられると端子カバーに接触して端子カバーを閉じる第１の凸部と、端子カバーを閉じた状態からの端子カバーの回転角度が９０度以上のときにファンケーシングに取り付けられると端子カバーと接触して、化粧グリルとフランジとの間に隙間を生じさせる第２の凸部とを備える。
【発明の効果】
【０００８】
本発明によれば、端子カバーが開いたままの状態で運転されることを抑制できるダクト送風装置を得られるという効果を奏する。
【図面の簡単な説明】
【０００９】
【図１】本発明の実施の形態１に係る換気扇の構成を示す断面図
【図２】実施の形態１に係る換気扇の化粧グリルを取り外した状態での正面図
【図３】実施の形態１に係る換気扇の化粧グリル及び端子カバーを取り外した状態での正面図
【図４】実施の形態１に係る換気扇の端子カバーの斜視図
【図５】実施の形態１に係る換気扇の端子カバーを外した状態での斜視図
【図６】実施の形態１に係る換気扇の端子カバーを閉じた状態からの端子カバーの回転角度が９０度未満のときに化粧グリルを取り付けた状態を示す断面図
【図７】実施の形態１に係る換気扇の端子カバーを閉じた状態からの端子カバーの回転角度が９０度以上のときに化粧グリルを取り付けた状態を示す断面図
【図８】実施の形態１に係る換気扇の端子カバーを閉じた状態からの端子カバーの回転角度が９０度以上のときに化粧グリルを取り付けた状態を示す側面図
【発明を実施するための形態】
【００１０】
以下に、本発明の実施の形態に係るダクト送風装置を図面に基づいて詳細に説明する。なお、この実施の形態によりこの発明が限定されるものではない。
【００１１】
実施の形態１．
図１は、本発明の実施の形態１に係る換気扇の構成を示す断面図である。図２は、実施の形態１に係る換気扇の化粧グリルを取り外した状態での正面図である。図３は、実施の形態１に係る換気扇の化粧グリル及び端子カバーを取り外した状態での正面図である。実施の形態１に係るダクト送風装置である換気扇１００は、室内外を連通させるダクト１４にダクト接続口８を挿入した上で運転することで、室内の空気を換気する。換気扇１００は、本体２と、ダクト接続口８と、送風機１とを有する。本体２は、一面が開放されて吸気口２ｂが設けられた箱状である。本体２の側面の一つには、排気口２ｃが形成されている。ダクト接続口８は、本体２の排気口２ｃが形成されている側面から垂直に延び、排気口２ｃをダクト１４に連通する位置まで延長する。送風機１は、換気する空気を流通させる換気駆動体である。本体２には、送風機１の風路を形成するファンケーシング６が収容されている。
【００１２】
ファンケーシング６には、吸い込まれる空気が通る吸込口５と、吐出される空気が通る吐出口６ａとが形成されている。ファンケーシング６は、吸込口５と吐出口６ａとを繋ぐ風路部６ｂと、風路部６ｂの外に設けられた保護枠３０とを備える。ファンケーシング６は、吸気口２ｂと吸込口５とが連通し、かつ排気口２ｃと吐出口６ａとが連通するように本体２内に設置される。本体２内にファンケーシング６が設置されることにより、保護枠３０が、本体２の内部かつ風路部６ｂの外部に、本体２の吸気口２ｂが形成された面側を向く一端部３０ｂが開口した筒状部３０ｃを形成している。なお、保護枠３０が筒状であって、保護枠３０そのものが筒状部３０ｃを形成してもよいし、保護枠３０が壁状であって、本体２の側面と保護枠３０とが筒状部３０ｃを形成してもよい。保護枠３０は、筒状部３０ｃの一端部３０ｂから筒状部３０ｃの軸方向に延びて筒状部３０ｃの一端部３０ｂの周囲を囲む保護壁１８が形成されており、筒状部３０ｃの一端部３０ｂと保護壁１８によって凹部が形成されている。筒状部３０ｃの他端部３０ａは、本体２のモータ取付面２８と当接して塞がれている。なお、筒状部３０ｃは、他端部３０ａが保護枠３０自体で塞がれていてもよい。すなわち、筒状部３０ｃは、一端部３０ｂのみが開口した形状であってもよい。吐出口６ａは、本体２の排気口２ｃと重ねられている。すなわち、ファンケーシング６から吐出された気流は、ファンケーシング６の外部かつ本体２の内部の部分を移動することなく、そのまま本体２の外へ排気される。
【００１３】
本体２は、天井２５に形成された本体埋込穴２６を通じて天井裏に配置され、屋外に通じるダクト１４に室内側からダクト接続口８を挿入して設置される。天井裏に設置された本体２は、フランジ２ａに設けられた貫通穴２７を通じて天井２５に木ねじを打ち込むことで天井２５に固定される。
【００１４】
なお、ここでは換気扇１００を天井裏に設置する場合について説明するが、換気扇１００は、壁内に設置される場合もある。したがって、以下の説明は、換気扇１００の取り付け姿勢を限定するものではない。
【００１５】
換気扇１００は、ファンケーシング６といった内部部品が室内から見えて見栄えが悪くならないようにする意匠部品である化粧グリル１２を備える。化粧グリル１２は、取付用のスプリング１３を備えておりファンケーシング６に取付けられているスプリング固定部７に、スプリング１３を引っ掛けることにより、フランジ２ａに当接した状態で固定される。
【００１６】
送風機１は、モータ３と、モータ３のシャフト３ａに差込結合されたファン４とを備える。ファン４は、吸込口５からファンケーシング６の中に流入して吐出口６ａから流出する気流を形成する。モータ３は、ファン４を駆動する。モータ３は、本体２のうち吸気口２ｂが形成された面に対向する面であるモータ取付面２８に固定されている。
【００１７】
電線接続装置２０とモータ３とは、不図示のモータ電線によって電気的に接続されている。電線接続装置２０は、筒状部３０ｃによって囲まれている。筒状部３０ｃの一端部３０ｂは、吸気口２ｂ側を向いている。筒状部３０ｃの一端部３０ｂは、端子カバー１１によって塞がれており、埃及び湿気が侵入することは抑制されている。外部電源電線を通じて供給された電力が電線接続装置２０及びモータ電線を介してモータ３に流れることで、電気エネルギーがシャフト３ａの回転運動に変換される。モータ３が回転運動をファン４に伝えることでファン４が回転し、ファンケーシング６の風路部６ｂ内に空気の流れが形成される。筒状部３０ｃの他端部３０ａには外部電源電線用穴３０ｅが開けられており、外部電源電線用穴３０ｅには弾性を有するケーブルブッシュ３０ｄが設置されている。電線接続装置２０に接続される外部電源電線は、ケーブルブッシュ３０ｄを通じて筒状部３０ｃの内部に引き込まれる。弾性を有するケーブルブッシュ３０ｄは、外部電源電線に密着するため、ケーブルブッシュ３０ｄと外部電源電線との隙間から埃及び湿気が侵入することは防止される。
【００１８】
ダクト接続口８は、本体２とは反対側の端に向かって外径が段階的に小さくなる先細り形状である。ダクト接続口８の外径が段階的に小さくなることにより、ダクト接続口８に径が異なるダクト１４を接続することが可能であるとともに、テープを巻いてダクト接続口８とダクト１４との隙間を塞ぐテーピング作業の作業性が向上する。ダクト接続口８内には、風圧によって開閉するシャッタ９が設けられている。シャッタ９は、換気扇１００の運転時には風圧で開き、停止時は自重で閉じてダクト接続口８を閉鎖する。ダクト接続口８内にシャッタ９を設けることで、換気扇１００の停止時に屋外からの外風が室内に侵入するのを防止することができる。
【００１９】
ダクト１４は、屋外まで延びて建物の屋外外壁に設置された不図示のフードに連結されており、住宅内の空気を換気する換気風路を形成している。
【００２０】
吸込口５は、ファンケーシング６の一端面に形成されている。吸込口５からファンケーシング６内に吸い込まれた空気は、送風機１によってファンケーシング６の内壁に沿って排気口２ｃに送られ、ダクト接続口８及びダクト１４を介して屋外へ排気される。ファンケーシング６は、本体２のモータ取付面２８にねじによって固定されている。ファンケーシング６の吸込口５が形成されている側の端部には、化粧グリル１２の取付用のスプリング固定部７が形成されている。
【００２１】
図４は、実施の形態１に係る換気扇の端子カバーの斜視図である。図５は、実施の形態１に係る換気扇の端子カバーを外した状態での斜視図である。端子カバー１１は、軸１６を備えている。端子カバー１１は、ファンケーシング６に設けられた穴１５に軸１６が挿入されてファンケーシング６に取付けられる。穴１５に挿入された軸１６は、本体２の吸気口２ｂが設けられた開放面と平行に支持される。端子カバー１１は、軸１６が穴１５に挿入されることによって、軸１６を中心とする回転移動による開閉が可能である。なお、軸１６及び穴１５の組み合わせではなく、端子カバー１１とファンケーシング６とをリビングヒンジで接続してもよい。
【００２２】
端子カバー１１を開くことにより、電線接続装置２０が収納された筒状部３０ｃの内部へのアクセスが可能となり、室内側から容易に外部電源電線の挿入が可能となる。端子カバー１１には、端子カバー１１を開く際に開けやすくするための指引掛け部１７が設けられている。指引掛け部１７は、指の腹に沿う曲板状である。端子カバー１１を閉じた状態では、筒状部３０ｃの一端部３０ｂと保護壁１８によって形成される凹部に端子カバー１１が嵌まるため、密閉度の向上が可能である。また、保護壁１８に係止部である係止め突起１９を設けることにより、端子カバー１１を係止め可能としており閉状態の維持が可能である。
【００２３】
化粧グリル１２には、本体２に化粧グリル１２を取付けるためのスプリング１３がスプリング固定部品２１によって取付けられている。化粧グリル１２は、ファンケーシング６に設けられたスプリング固定部７にスプリング１３を引掛けることにより、本体２に取付けられ、換気扇１００の前面を覆う。
【００２４】
図６は、実施の形態１に係る換気扇の端子カバーを閉じた状態からの端子カバーの回転角度が９０度未満のときに化粧グリルを取り付けた状態を示す断面図である。なお、図６には、電線接続装置２０に接続される外部電源電線を破線で示している。化粧グリル１２には、端子カバー１１を閉じた状態からの端子カバー１１の回転角度が９０度未満のときに端子カバー１１と接触する押し込み突起２２と、端子カバー１１を閉じた状態からの端子カバー１１の回転角度が９０度以上のときに端子カバー１１と接触する接触突起２３とが設けられている。端子カバー１１を閉じた状態からの端子カバー１１の回転角度が９０度以上の状態では、端子カバー１１のうち筒状部３０ｃの一端部３０ｂに対向して覆うべき面は、筒状部３０ｃの一端部３０ｂ側を向いてはいない。
【００２５】
押し込み突起２２は、端子カバー１１を閉じた状態からの端子カバー１１の回転角度が９０度未満のときにファンケーシング６に化粧グリル１２を取り付けると、端子カバー１１に接触して端子カバー１１を閉じる第１の凸部である。端子カバー１１を閉じた状態からの端子カバー１１の回転角度が９０度未満の場合、スプリング１３をスプリング固定部７に引っ掛けた化粧グリル１２を本体２側に押し上げると、押し込み突起２２によって端子カバー１１が押されるため、端子カバー１１を閉状態にすることが可能である。上記のように、筒状部３０ｃの他端部３０ａでは、弾性を有するケーブルブッシュ３０ｄを通じて外部電源電線が筒状部３０ｃの内部に引き込まれるため、端子カバー１１を閉状態にすることで、筒状部３０ｃの内部を風路部６ｂから隔離することができる。
【００２６】
図７は、実施の形態１に係る換気扇の端子カバーを閉じた状態からの端子カバーの回転角度が９０度以上のときに化粧グリルを取り付けた状態を示す断面図である。図８は、実施の形態１に係る換気扇の端子カバーを閉じた状態からの端子カバーの回転角度が９０度以上のときに化粧グリルを取り付けた状態を示す側面図である。接触突起２３は、端子カバー１１を閉じた状態からの端子カバー１１の回転角度が９０度以上のときにファンケーシング６に化粧グリル１２を取り付けると、端子カバー１１と接触して、化粧グリル１２とフランジ２ａとの間に隙間を生じさせる第２の凸部である。接触突起２３の高さは、接触突起２３が端子カバー１１に接触した状態で化粧グリル１２とフランジ２ａとの間に隙間が生じる寸法である。ユーザが端子カバー１１を閉め忘れて化粧グリル１２とフランジ２ａとの間に隙間が生じた状態では、化粧グリル１２が完全には取りつかないため、本体２内部の異常を視認によりユーザに認知させることが可能となる。したがって、端子カバー１１の閉め忘れの抑制が可能となり、電線接続装置２０への埃及び湿気が侵入することを抑制でき、安全性を高めることができる。
【００２７】
実施の形態１に係る換気扇１００は、押し込み突起２２が化粧グリル１２に設けられているため、端子カバー１１を閉じた状態からの端子カバー１１の回転角度が９０度未満であれば、化粧グリル１２をファンケーシング６に取り付けることにより端子カバー１１を閉じることができる。また、実施の形態１に係る換気扇１００は、接触突起２３が化粧グリル１２に設けられているため、端子カバー１１を閉じた状態からの端子カバー１１の回転角度が９０度以上であれば、化粧グリル１２をファンケーシング６に取り付けることにより、フランジ２ａと化粧グリル１２との間に隙間を生じさせ、端子カバー１１の閉め忘れを視覚的にユーザに報知することができる。
【００２８】
なお、上記の説明においては、屋外に通じるダクト１４にダクト接続口８を接続することにより、室内の換気を行う換気扇１００を構成したが、室内に通じるダクトにダクト接続口８を接続することもできる。室内に通じるダクトにダクト接続口８を接続する場合は、ダクト内にフィルタ又は電気除塵器を設置して空気清浄装置を構成したり、ダクト内に加湿器を設置して加湿装置を構成したりすることができる。なお、ここで例示したものとは異なる装置を室内に通じるダクトに設置してダクト送風装置と組み合わせることもできる。
【００２９】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００３０】
１  送風機、２  本体、２ａ  フランジ、２ｂ  吸気口、２ｃ  排気口、３  モータ、３ａ  シャフト、４  ファン、５  吸込口、６  ファンケーシング、６ａ  吐出口、６ｂ  風路部、７  スプリング固定部、８  ダクト接続口、９  シャッタ、１１  端子カバー、１２  化粧グリル、１３  スプリング、１４  ダクト、１５  穴、１６  軸、１７  指引掛け部、１８  保護壁、１９  係止め突起、２０  電線接続装置、２１  スプリング固定部品、２２  押し込み突起、２３  接触突起、２５  天井、２６  本体埋込穴、２７  貫通穴、２８  モータ取付面、３０  保護枠、３０ａ  他端部、３０ｂ  一端部、３０ｃ  筒状部、３０ｄ  ケーブルブッシュ、３０ｅ  外部電源電線用穴、１００  換気扇。
【図１】
2020180730.tif 000003
【図２】
2020180730.tif 000004
【図３】
2020180730.tif 000005
【図４】
2020180730.tif 000006
【図５】
2020180730.tif 000007
【図６】
2020180730.tif 000008
【図７】
2020180730.tif 000009
【図８】
2020180730.tif 000010